(57)【要約】【課題】携帯端末において、着信した電話に出ることができない、あるいは、受信したメールに対する返信がすぐにできない状況下にあるとき、音声着信又はメール着信があった場合、後になって返信可能な状況になったときに、音声着信であるかメール着信であるかにかかわらず忘れずに返信できるようにする。【解決手段】音声着信又はメール着信の後、返信予約キー１９の押下を検知することにより、要返信リスト１８−１へ着信記録を追加し、音声着信又はメール着信の発信元情報を当該着信記録と関連付けして、発信元リスト１８−２に保存する。さらに、要返信リストに基づく音声着信に対して応答すべき要応答案件の存在を示す情報と、要返信リストに基づくメール着信に対し返信すべき要返信案件の存在を示す情報として、表示部１３に「返信予約有り」を示すアイコンを表示させる。【選択図】図２
2008299452.tif 000002
【特許請求の範囲】
【請求項１】
音声通話及びメールの受発信が可能な携帯端末において、
音声着信又はメール着信の後所定の時間内に、所定の動作を検知することにより、要返信リストへ着信記録を追加し前記音声着信又はメール着信の発信元情報を当該着信記録と関連付けして保存することを特徴とする携帯端末。
【請求項２】
前記所定の動作は、特定のキーの押下であることを特徴とする請求項１に記載の携帯端末。
【請求項３】
音声通話及びメールの受発信が可能な携帯端末において、
音声着信又はメール着信の後、自動的に要返信リストへ着信記録を追加し、前記音声着信又はメール着信の発信元情報を当該着信記録と関連付けして保存することを特徴とする携帯端末。
【請求項４】
前記要返信リストに基づく前記音声着信に対して応答すべき要応答案件の存在を示す情報と、前記要返信リストに基づく前記メール着信に対し返信すべき要返信案件の存在を示す情報とを、表示部に表示することを特徴とする請求項１〜３のいずれか１項に記載の携帯端末。
【請求項５】
前記要応答案件の存在を示す情報及び前記要返信案件の存在を示す情報は、
前記発信元情報のリスト表示又はアイコン表示であり、前記アイコン表示の場合は特定キーの押下により前記発信元情報のリスト表示に切り替わることを特徴とする請求項１〜４のいずれか１項に記載の携帯端末。
【請求項６】
前記要応答案件又は前記要返信案件の属性とリンクした端末操作を使用者に促すことを特徴とする請求項１〜５のいずれか１項に記載の携帯端末。
【請求項７】
前記要応答案件を基に音声発信が可能又は前記要返信案件を基に返信用メッセージの作成が可能であることを特徴とする請求項６に記載の携帯端末。
【請求項８】
前記要応答案件又は前記要返信案件を取得した時点から経過した日時に応じて、前記アイコン表示の状態が変化することを特徴とする請求項１〜７のいずれか１項に記載の携帯端末。
【請求項９】
応答又は返信の処理が完了した場合、前記リスト表示又は前記アイコン表示は待ち受け画面上から削除されることを特徴とする請求項１〜８のいずれか１項に記載の携帯端末。
【発明の詳細な説明】
【技術分野】
【０００１】
本発明は、返信が必要なメールの返信や応答が必要な電話の応答の忘れを防止するようにする携帯端末に関する。
【背景技術】
【０００２】
携帯電話やＰＨＳ等の携帯端末の使用者が公共交通機関の車内にいる場合や会議中の場合など、着信した電話に出ることができない、あるいは、受信したメールに対する返信がすぐにできない状況がある。このような状況で音声着信又はメール着信があった場合、携帯端末には着信履歴が残るため、後になって返信可能な状況になったときに着信履歴を参照して返信を行えば良いが、時間が経過すると返信を忘れてしまうおそれがある。
【０００３】
このため、メール着信に対して、アラーム通知などにより、使用者の返信忘れを防ぐ携帯端末もある。例えば、特許文献１には、返信を要する受信メールを閲覧中に、メール閲覧画面上に備えられた返信アラーム表示時刻設定メニューによりユーザから指定された返信アラーム表示時刻と、閲覧中の関連メール情報とを対応付けて記憶部に返信アラーム表示登録する手段と、制御部が登録された返信アラーム表示時刻を定期的に検索し、返信アラーム表示時刻になったメールがあった場合、該当メールの特定情報を含む返信アラーム通知を生成して表示する手段と、返信アラーム通知画面上でユーザが返信の指示を行った場合、返信アラーム通知画面に換えて該当返信メール画面を表示する手段と、該当返信メールが返信されたときに、該当メールの返信アラーム表示登録を削除する手段とを有する携帯端末が、開示されている。
【０００４】
また、特許文献２には、文字メッセージを送受信できる無線通信端末において、未読の文字メッセージが存在する状態で、呼び出し着信が発生した場合、その未読の文字メッセージに関する情報に関連付けされた各無線通信端末に割り当てられた固有の識別番号情報と、その着信の発信元の呼び出し識別番号通知情報とが一致した場合に、通常の着信の報知パターンとは異なる別の報知パターンで通報することにより、使用者に未読文字メッセージが存在し、その未読文字メッセージに関連した発信者からの着信を促すことができると共に、該当する未読文字メッセージをユーザに対してその内容を認識させることができることが開示されている。
【０００５】
【特許文献１】特開２００５−１１５４２４号公報
【特許文献２】特開２００６−１４８７２５号公報
【発明の開示】
【発明が解決しようとする課題】
【０００６】
ところが、上記特許文献１ではメッセージを受信したときに、アラーム時刻の設定のための入力操作を行う必要があるため、会議中などの入力操作を行う時間的な余裕がない状況下においては上記アラーム時刻の設定のための入力操作は煩雑であり、会議を一時中断するおそれもあるなど、使用に適したものとは言えない。
また、上記特許文献２では未読の文字メッセージの相手からの再着信が無いと機能しない。
【０００７】
またさらに、携帯電話やＰＨＳ等の携帯端末では音声着信もあるが、上記特許文献１、２に開示された技術はメール着信のための機能であり、後で返信の通話が可能になった時に、音声着信の着信履歴を確認して通話しなければならないのは従来の通常の携帯端末と同様である。
【０００８】
このように、携帯電話やＰＨＳ等の従来の携帯端末においては、音声着信であるかメール着信であるかにかかわらず、後になって返信可能な状況になったときに忘れずに返信できるような機能は実現されていない。
【０００９】
そこで、本発明の目的は上記課題を解消することに係り、携帯電話やＰＨＳ等の携帯端末において、使用者が公共交通機関の車内にいる場合や会議中の場合など、着信した電話に出ることができない、あるいは、受信したメールに対する返信がすぐにできない状況下にあるとき、音声着信又はメール着信があった場合、後になって返信可能な状況になったときに、音声着信であるかメール着信であるかにかかわらず忘れずに返信できるような機能を提供することである。
【課題を解決するための手段】
【００１０】
上記課題を解決するために、本発明に係る携帯端末は、音声通話及びメールの受発信が可能な携帯端末において、音声着信又はメール着信の後、所定の動作を検知することにより、要返信リストへ着信記録を追加し、前記音声着信又はメール着信の発信元情報を当該着信記録と関連付けして保存することを特徴とする。
上記構成によれば、返信が必要であると判断した音声着信又はメール着信のみを、簡易な動作のみにより要返信リストへ着信記録を追加するので、後になって返信可能な状況になったときに、この要返信リストに関連付けられた発信元情報を基に、忘れずに返信することができる。
【００１１】
さらに、本発明に係る携帯端末は、前記所定の処理は、特定のキーの押下であることを特徴とする。
上記構成によれば、使用者が特定のキーを押下するという簡易な動作のみにより、要返信リストへ着信記録を追加することができる。
【００１２】
あるいは、本発明に係る携帯端末は、音声通話及びメールの受発信が可能な携帯端末において、音声着信又はメール着信の後、自動的に要返信リストへ着信記録を追加し、前記音声着信又はメール着信の発信元情報を当該着信記録と関連付けして保存することを特徴とする。
上記構成によれば、全ての音声着信又はメール着信を、自動的に要返信リストへ着信記録を追加するので、使用者が上記音声着信又はメール着信に全く対応できないときでも、後になって返信可能な状況になったときに、この要返信リストに関連付けられた発信元情報を元に、忘れずに返信することができる。
【００１３】
また、前記要返信リストに基づく前記音声着信に対して応答すべき要応答案件の存在を示す情報と、前記要返信リストに基づく前記メール着信に対し返信すべき要返信案件の存在を示す情報とを、表示部に表示することを特徴とする。
上記構成によれば、表示部に表示された情報により、使用者は要応答案件あるいは要返信案件が存在することを認識できる。
【００１４】
さらに、前記要応答案件の存在を示す情報及び前記要返信案件の存在を示す情報は、前記発信元情報のリスト表示又はアイコン表示であり、前記アイコン表示の場合は特定キーの押下により前記発信元情報のリスト表示に切り替わることを特徴とする。
上記構成によれば、表示部に表示された発信元情報のリスト表示又はアイコン表示により、使用者は要応答案件あるいは要返信案件が存在することを認識できる。
【００１５】
また、前記要応答案件又は前記要返信案件の属性とリンクした端末操作を使用者に促すことを特徴とする。
上記構成によれば、要応答案件又は前記要返信案件の属性とリンクした端末操作を使用者に促すことができる。
【００１６】
また、前記要応答案件を基に音声発信が可能又は前記要返信案件を基に返信用メッセージの作成が可能であることを特徴とする。
上記構成によれば、要応答案件を基に音声発信が可能又は前記要返信案件を基に返信用メッセージの作成が可能である。
【００１７】
また、前記要応答案件又は前記要返信案件を取得した時点から経過した日時に応じて、前記アイコン表示の状態が変化することを特徴とする。
上記構成によれば、要応答案件又は要返信案件を取得してからの経過時間・日数が判別することができる。
【００１８】
また、応答又は返信の処理が完了した場合、前記リスト表示又は前記アイコン表示は待ち受け画面上から削除されることを特徴とする。
上記構成によれば、要応答案件又は要返信案件に対して、応答又は返信をしたか否かの判別ができる。
【発明の効果】
【００１９】
本発明は、着信した電話に出ることができない、あるいは、受信したメールに対する返信がすぐにできない状況下にあるとき、音声着信又はメール着信があった場合、後になって返信可能な状況になったときに、音声着信であるかメール着信であるかにかかわらず忘れずに返信できる携帯端末を提供することができる。
【発明を実施するための最良の形態】
【００２０】
以下、本発明に係る携帯端末の好適な実施の形態について、図面を参照して詳細に説明する。
図１は本実施の形態に係る携帯端末の外観の一例を示す斜視図であり、図２は、本実施の形態に係る携帯端末の主要部の機能ブロック図である。
【００２１】
図１に示すように、携帯端末１は、携帯電話やＰＨＳなどの携帯端末であり、折りたたみ式の筐体（第１筐体１Ａおよび第２筐体１Ｂ）となっている。なお、この筐体はストレート式など他の構造のものであってもよい。第１筐体１Ａには、表示部１３、スピーカ１５、通信部１６などを備えている。第２筐体１Ｂには、操作部１１、制御部１２、メモリ部１８、マイク１４、返信予約キー１９、返信実行キー２０などを備えている。
【００２２】
操作部１１は、ダイヤルキ−（数字キ−）、電源キ−、通話キ−、保留キ−、方向指示キ−などの各種キ−が配置されている。
【００２３】
図２に示すように、制御部１２は、携帯端末１の各種機能に対する制御や演算を実行し、操作部１１、メモリ部１８、マイク１４、スピ−カ１５および通信部１６がそれぞれ接続されている。
【００２４】
表示部１３は、電話番号、通信履歴、メ−ル文、画像などを表示する液晶や有機ＥＬ等のディスプレイである。
【００２５】
メモリ部１８は、携帯端末本体の制御プログラム、各種アプリケーションプログラム、電話・メールアドレス帳（後述の図４（ａ）参照）、辞書データ、画像データなどの各種データが記憶されており、本実施の形態では、さらに、要返信リスト１８−１（後述の図４（ｂ）参照）及びこの要返信リスト１８−１の発信元の情報を示す発信元リスト１８−２（後述の図４（ｃ）参照）が記憶される。
【００２６】
次に、本実施の形態に係る携帯端末の制御フローの一例を説明する。図３は本実施の形態に係る携帯端末における制御フローの一例を示すフローチャートであり、図４は本実施の形態に係る携帯端末における各リストの一例を示す図である。
【００２７】
携帯端末１は、待ち受け状態において、音声又はメールの着信の検知を行っており（ステップＳ１）、音声又はメールの着信がなされる（ステップＳ１：ＹＥＳ）と、制御部１２は呼出音や振動やランプの点滅などで使用者に着信通知を行う（ステップＳ２）。
【００２８】
この着信通知を受けて、使用者は音声着信の場合、通話の保留を行うか、あるいは、音声着信に応答せずに不在着信となった後、発信元を確認する。また、メール着信の場合は、発信元の確認に加えて、適宜、件名やメッセージ内容などを確認する。
そして、上記発信元に対して後から返信を行う場合は、使用者が携帯端末１に対して、所定の動作を行う。この所定の動作としては、具体的には、返信予約キー１９を押下する。
【００２９】
制御部１２は、着信通知を行ってから所定の時間内に、返信予約キー１９の押下が検知されたか否かを判定する（ステップＳ３）。
【００３０】
前記所定の時間内に、返信予約キー１９の押下がなされた場合（ステップＳ３：ＹＥＳ）、制御部１２は、返信予約キー１９押下を検知して、要返信リスト１８−１にこの着信記録を追加し、発信元の電話番号またはメールアドレスなどの発信元情報を発信元リスト１８−２にこの着信記録と関連付けして保存する（ステップＳ４）。
図４に示す例では、「１．春子からの電話着信（ＴＥＬ）」、「２．太郎からの電話着信（ＴＥＬ）」、「３．ａｋｉからのメール着信（mail）」が要返信リスト１８−１（図４（ｂ））に保存されている。また、要返信リスト１８−１の発信元の電話番号やメールアドレスなどの情報が発信元リスト１８−２（図４（ｃ））に保存される。
【００３１】
一方、前記所定の時間内に、返信予約キー１９の押下がなされなかった場合（ステップＳ３：ＮＯ）、制御部１２は、着信記録を要返信リスト１８−１に保存せずに、待ち受け状態に戻る。
このように、要返信リスト１８−１に保存されなかった電話着信やメール着信の着信記録も合わせて、従来と同様の着信記録である、通常の受信メールリストや電話着信履歴も別途保存してもよい。
図４に示す例では、受信メールリスト（図４（ｄ））には、要返信リスト１８−１（図４（ｂ））に保存されなかった「Ａ社からのメール」も記録されている。また、電話着信履歴（図４（ｅ））には、要返信リスト１８−１（図４（ｂ））に保存されなかった「二郎からの電話着信」も記録されている。
【００３２】
前記ステップＳ４の次に、携帯端末１の制御部１２は、表示部１３の待ち受け画面上に、要返信リスト１８−１に基づく音声着信に対して応答すべき要応答案件の存在を示す情報と、要返信リスト１８−１に基づくメール着信に対し返信すべき要返信案件の存在を示す情報とを、表示部１３に表示する。例えば、「返信予約有り」を示すアイコンを表示させる（ステップＳ５）。
【００３３】
その後、返信が可能な状況となったとき、使用者が返信実行キー２０を押下すると、制御部１２は、この返信実行キー２０の押下を検知する。
【００３４】
そして、この返信実行キー２０の押下の検知により、要返信リスト１８−１を表示部１３に表示する（ステップＳ６）。
【００３５】
なお、この表示は、音声着信とメール着信を一緒の画面に表示するが、各案件が音声着信であるかメール着信であるかを識別できるような表示である方がより好ましい。
【００３６】
さらに、要応答案件又は要返信情報を取得した時点から経過した日時に応じて、上記アイコン表示の状態が変化するようにしてもよい（例えば、日時が経過するに従って、アイコンの色を変えたり、大きさを変えたり、アイコンの形状を変えたりするなど）。
【００３７】
そして、上記ステップＳ６において表示された、要応答案件及び要返信案件のうち、使用者が、返信を行う案件を選択する（ステップＳ７）。
【００３８】
案件の選択がなされると、制御部１２は、要応答情報又は要返信情報の属性とリンクした端末操作を使用者に促す動作を実行する。
【００３９】
例えば、具体的には、選択された案件が要応答案件（音声着信）の場合は、選択された要応答案件の発信元の電話番号（発信元リスト１８−２に保存された電話番号）に自動的にコールする（ステップＳ８）。あるいは、選択された案件が要返信案件（メール着信）の場合は、自動的に発信元への返信メール入力の画面を表示する（ステップＳ８）。そして、使用者が返信メールの内容を書き込み終わった後、返信キーを押下することにより、発信元（発信元リスト１８−２に保存されたメールアドレス）へこの返信メールが送信される。
【００４０】
このようにして、発信元（返信する相手先）に対し、音声コール又はメールの送信がなされると、要返信リスト１８−１から当該案件の記録が削除される（ステップＳ９）。
【００４１】
次に、制御部１１は、要返信リスト１８−１の要応答案件及び要返信案件の件数が０件になったか否かを判定する（ステップＳ１０）。
【００４２】
このとき、要返信リスト１８−１の要応答案件及び要返信案件の件数が０件であれば（ステップＳ１０：ＹＥＳ）、表示部１３の待ち受け画面上の「返信予約有り」のアイコンを消す（ステップＳ１１）。一方、要返信リスト１８−１の要応答案件及び要返信案件の件数が０件でなければ（ステップＳ１０：ＮＯ）、表示部１３の待ち受け画面上の「返信予約有り」のアイコンの表示を継続する（ステップＳ１２）。そして再び、使用者が返信実行キー２０を押下するとステップＳ６の処理がなされる。
【００４３】
あるいは、前述のステップＳ２において、返信予約キー１９とは別の特定のキーを押すことによって、前記所定の時間内に返信予約キーの押下がなされなかった場合（ステップＳ２：Ｎｏ）と同様に、この着信記録を要返信リスト１８−１に保存せずに、着信待ち状態に戻るようにしてもよい。
【００４４】
また、返信予約キー１９や返信実行キー２０の配置位置は、図１では、筐体１Ｂの側面に設けられているが、これらのキーの配置位置を限定するものではなく、操作部１１に設けられている各種キーのいずれかを割り当てるようにしてもよい。
【００４５】
以上、詳述したように、本実施の形態に係る携帯端末１は、音声通話及びメールの受発信が可能な携帯端末１であり、音声着信又はメール着信の後、返信予約キー１９の押下を検知することにより、要返信リスト１８−１へ着信記録を追加し、音声着信又はメール着信の発信元情報を当該着信記録と関連付けして、発信元リスト１８−２に保存する。さらに、要返信リストに基づく音声着信に対して応答すべき要応答案件の存在を示す情報と、要返信リストに基づくメール着信に対し返信すべき要返信案件の存在を示す情報として、表示部１３に「返信予約有り」を示すアイコンを表示させる。
【００４６】
これによって、着信した電話に出ることができない、あるいは、受信したメールに対する返信がすぐにできない状況下にあるとき、音声着信又はメール着信があった場合、後になって返信可能な状況になったときに、音声着信であるかメール着信であるかにかかわらず忘れずに返信できるものである。
【００４７】
なお、上記実施の形態では、着信通知を行ってから所定の時間内に、返信予約キー１９の押下がなされた場合に要返信リスト１８−１にこの着信記録を追加するようにしているが、返信予約キー１９などの特定のキーを使用することなく、着信通知を行った後は、自動的に要返信リストへ着信記録を追加し、音声着信又はメール着信の発信元情報を当該着信記録と関連付けして保存するようにしてもよい。
【図面の簡単な説明】
【００４８】
【図１】本発明に係る実施の形態の携帯端末の外観の一例を示す斜視図である。
【図２】本発明に係る実施の形態の携帯端末の主要部の機能ブロック図である。
【図３】本発明の実施の形態に係る携帯端末の制御フローの一例を説明するフローチャートである。
【図４】本発明の実施の形態に係る携帯端末における各リストの一例を示す図である。
【符号の説明】
【００４９】
１  携帯端末
１Ａ  第１筐体
１Ｂ  第２筐体
１１  操作部
１２  制御部
１３  表示部、
１４  マイク
１５  スピーカ
１６  通信部
１８  メモリ部
１８−１  要返信リスト
１８−２  発信元リスト
１９  返信予約キー
２０  返信実行キー
【図１】
2008299452.tif 000003
【図２】
2008299452.tif 000004
【図３】
2008299452.tif 000005
【図４】
2008299452.tif 000006